(57)【要約】      （修正有）【課題】環境温度が下がるにつれて除湿効果が減少する問題を克服し、また、環境湿度が上がるにつれて除湿効果が減少する問題を克服する除湿装置の統合構造を提供する。【解決手段】除湿装置の統合構造は、少なくとも一つのケース１を備える。ケースには、第一外部気体を流入させる少なくとも一つの第一入風口１１１が設けられ、ケース内には、第一入風口の位置に対応する冷熱交換器２１が設けられ、冷熱交換器における第一入風口の反対側には蒸発器３１が設けられ、蒸発器における冷熱交換器の反対側には、放熱器３２及び除湿ローラ２２が設けられ、除湿ローラには、少なくとも一つの発熱装置２３が設けられ、除湿ローラにおける放熱器の反対側には、少なくとも一つの排気部１３が設けられる。また、ケースには、第一入風口の側に位置する少なくとも一つのセンサー装置７１と、センサー装置にデータリンクする少なくとも一つのコントロール装置７と、からなる。【選択図】図１
0003208603.tif 000002
【実用新案登録請求の範囲】
【請求項１】
少なくとも一つのケースと、冷熱交換器と、蒸発器と、放熱器と、除湿ローラと、少なくとも一つの発熱装置と、少なくとも一つの排気部とからなる除湿装置の統合構造であって、
前記ケースには、第一外部気体を流入させる少なくとも一つの第一入風口が設けられ、
前記冷熱交換器は、前記ケース内且つ前記第一入風口に対応する位置に設けられ、
前記蒸発器は、前記ケース内且つ前記冷熱交換器における前記第一入風口の反対側に設けられ、
前記放熱器は、前記ケース内且つ前記蒸発器における前記冷熱交換器の反対側に設けられるとともに、前記蒸発器と一緒に作動し、
前記除湿ローラは、前記ケース内且つ前記蒸発器における前記冷熱交換器の反対側に設けられるとともに、前記冷熱交換器と一緒に作動し、
前記発熱装置は、前記除湿ローラに設けられるとともに前記除湿ローラと一緒に作動し、
前記排気部は、前記除湿ローラにおける前記蒸発器の反対側に形成されるとともに、前記第一外部気体は前記冷熱交換器及び前記蒸発器を通った後、前記排気部から流出することを特徴とする、除湿装置の統合構造。
【請求項２】
前記ケース内には、前記冷熱交換器及び前記蒸発器及び前記放熱器及び前記除湿ローラ及び前記発熱装置を収容する少なくとも一つの収容空間が形成され、前記収容空間は、前記第一入風口及び前記排気部と連通することを特徴とする、請求項１に記載の除湿装置の統合構造。
【請求項３】
前記冷熱交換器及び前記蒸発器の側には、少なくとも一つの貯水部材が設けられることを特徴とする、請求項１に記載の除湿装置の統合構造。
【請求項４】
前記除湿ローラと前記冷熱交換器の間には、少なくとも一つの第一循環ルートセットが設けられてそれにより相互に導通し、前記蒸発器と前記放熱器の間には、少なくとも一つの第二循環ルートセットが設けられてそれにより相互に導通し、前記第二循環ルートセットには、圧縮機、及び、前記圧縮機に対応されて設置された膨張弁とが設けられることを特徴とする、請求項１に記載の除湿装置の統合構造。
【請求項５】
前記ケースには、前記第一入風口の側に配置された少なくとも一つのセンサー装置と、少なくとも一つのコントロール装置とが設けられ、前記コントロール装置は、前記発熱装置及び前記圧縮機及び前記センサー装置にデータリンクされることを特徴とする、請求項４に記載の除湿装置の統合構造。
【請求項６】
前記排気部における前記除湿ローラの反対側には、前記排気部と連通する少なくとも一つのファン装置が設けられ、前記ファン装置は、前記コントロール装置とデータリンクされることを特徴とする、請求項５に記載の除湿装置の統合構造。
【請求項７】
前記ケースには、第二外部気体が流入する少なくとも一つの第二入風口が形成され、前記冷熱交換器と前記蒸発器の間には、前記コントロール装置にデータリンクする少なくとも一つの入風弁が設けられ、それにより、前記第二外部気体流入と前記蒸発器の接触をコントロールすることを特徴とする、請求項５に記載の除湿装置の統合構造。
【請求項８】
前記ケースには、第二外部気体を流入させる少なくとも一つの第二入風口が設けられるとともに、前記蒸発器と前記放熱器の間には、前記コントロール装置にデータリンクされる少なくとも一つの入風弁が設けられ、それにより、前記第二外部気体が流入し前記放熱器と接触するのをコントロールすることを特徴とする、請求項５に記載の除湿装置の統合構造。
【請求項９】
前記ケースには、第二外部気体を流入させる少なくとも一つの第二入風口が設けられるとともに、前記放熱器と前記除湿ローラの間には、前記コントロール装置にデータリンクされる少なくとも一つの入風弁が設けられることにより、前記第二外部気体が流入し前記除湿ローラが接触するのをコントロールすることを特徴とする、請求項５に記載の除湿装置の統合構造。
【請求項１０】
前記ケースには、第二外部気体を流入させる少なくとも一つの第二入風口が設けられ、前記第二外部気体は、前記蒸発器、或は、前記放熱器、或は、前記除湿ローラと接触することを特徴とする、請求項１に記載の除湿装置の統合構造。
【考案の詳細な説明】
【技術分野】
【０００１】
本考案は除湿装置の統合構造に関し、特に各種環境に使用することができ、演算調整により最も優れた除湿効果を得られる除湿装置の統合構造に関する。
【背景技術】
【０００２】
従来の除湿設備は、主に、圧縮機式と除湿ローラ式の二種類に分けられる。そして、圧縮機式は、主に、圧縮機と、圧縮機に連通する放熱器と、放熱器に連通する膨張弁と、膨張弁及び圧縮機に連通する蒸発器と、からなる。作動するときは、圧縮機が冷媒を圧縮して放熱器に送り温度を下げ、さらに、冷媒は膨張弁を通過して圧力を下げて蒸発器に進入し温度が上昇し、さらに圧縮機内に回流して循環を繰り返し、冷媒が圧力により生じた相変化によりその温度を変える。それにより、蒸発器周囲の熱量を吸収してその温度を下げるため、環境空気が蒸発器に接触すると温度が下がり、環境空気内に含まれる水分が蒸発器に凝結して水玉になり除湿効果を達成する。しかしながら、環境温度が低い時（およそ摂氏１５〜１６度より低い時）、蒸発器の温度はおよそ摂氏０度まで下がる。従って、環境空気が蒸発器に接触した時、水分は蒸発器表面で直接凝結して霜になり、運行を続けると霜の厚さが増えていくが、除湿効果は霜の厚さの増加につれ下がっていく。
【０００３】
除湿ローラ式は、主に、冷熱交換器と、除湿ローラと、冷熱交換器及び除湿ローラに連通するループ風道と、除湿ローラに設けられた發熱器と、からなる。使用する時は、除湿ローラの特性を利用し、環境空気内に含まれる水分を自然に吸着して除湿効果を達成し、且つ、発熱機が、除湿ローラの吸収した水分を加熱し蒸発させる。蒸発した水分は、気流がループ風道を経由して冷熱交換器へと進むにつれ、環境空気と接触して温度が下がり、凝結して水玉になることで水分が取り除かれる。その後、気流がループ風道を経由して除湿器に戻る。しかしながら、実際に使用してみると、除湿ローラ式は大量の電力を消耗するのにもかかわらず除湿効果はかなり低い。また、環境湿度が高くなるほど、その除湿効果は低くなる。
【考案の概要】
【考案が解決しようとする課題】
【０００４】
本考案は、環境温度が下がるにつれて除湿効果が減少する問題を克服する除湿装置の統合構造を提供することを目的とする。
【０００５】
また、本考案は、環境湿度が上がるにつれて除湿効果が減少する問題を克服する除湿装置の統合構造を提供することを目的とする。
【課題を解決するための手段】
【０００６】
上述の目的を達成するために、本考案による除湿装置の統合構造は、少なくとも一つのケースを備える。ケースには、第一外部気体を流入させる少なくとも一つの第一入風口が設けられ、ケース内には、第一入風口の位置に対応する冷熱交換器が設けられ、冷熱交換器における第一入風口の反対側には蒸発器が設けられ、蒸発器における冷熱交換器の反対側には、放熱器及び除湿ローラが設けられ、除湿ローラには、少なくとも一つの発熱装置が設けられ、除湿ローラにおける放熱器の反対側には、少なくとも一つの排気部が設けられる。以上により、第一入風口から流入した第一外部気体は、まず冷熱交換器に接触し、その後、蒸発器及び放熱器及び除湿ローラを経由して排気部から流出する。
【０００７】
また、ケースには、第一入風口の側に位置する少なくとも一つのセンサー装置と、センサー装置にデータリンクする少なくとも一つのコントロール装置と、からなり、コントロール装置は、冷熱交換器、除湿ローラ、蒸発器、放熱器を制御する。冷熱交換器及び除湿ローラ及び発熱装置が作動すると、第一外部気体が、第一入風口から流入した後、まず、冷熱交換器と熱交換を行って温度が上昇し、且つ除湿ローラ方向へ移動する。除湿ローラと第一外部気体が接触する時、それに含まれる水分を自然に吸着され、水分が吸着された第一外部気体は、除湿ローラを通って排気部から流出する。そして、除湿ローラ内に吸着残留した水分は、発熱装置に加熱されて熱蒸気になる。熱蒸気は、冷熱交換器に送られ、流入したばかりの第一外部気体と熱交換を行うことで、温度が下がって凝結し水玉を生じることで水分が減らされ、その後、除湿ローラ内に戻されて循環する。
【０００８】
蒸発器及び放熱器が作動する時、冷熱交換器を通過した第一外部気体は、まず蒸発器と接触して熱交換を行い、且つ蒸発器は第一外部気体の温度を下げることで、第一外部気体に含まれる水分が蒸発器表面で凝結して水玉となり水分が減り、水分が減らされた第一外部気体は、放熱器と熱交換を行って温度を上げた後、除湿ローラ方向へ移動する。
【考案の効果】
【０００９】
以上により、コントロール装置が、センサー装置を通じて環境温度が低いと検知した場合、冷熱交換器を通して第一外部気体の温度を上げることで、蒸発器の表面が凝結して霜がつもり除湿効果に影響することを防ぐことができる。且つ、コントロール装置が、センサー装置を通じて環境湿度が低いと検知した場合、蒸発器によって第一外部気体に含まれる水分を減らすことにより、第一外部気体に含まれる水分が多すぎて除湿ローラの除湿効果に影響を与えるのを防ぐことができる。このように、コントロール装置は、蒸発器及び除湿ローラと合わせることで二段階除湿を行って除湿効果を向上させることができる。さらに、コントロール装置は、ニーズに応じて選択的に、単独で冷熱交換器及び除湿ローラ及び発熱装置を作動させることや、単独で蒸発器及び放熱器を作動させることができる。上述の技術により、従来の除湿設備に存在する環境温度が低い時に使用できない、除湿効果が低い、湿度が高くなるにつれ除湿効果が低くなる問題を解決することができ、各種環境に使用することができる。そして、演算調整により最も優れた除湿効果を得られる実用進歩性を達成することができる。
【図面の簡単な説明】
【００１０】
【図１】本考案による好ましい実施例１の構造を示した概略図である。
【図２】本考案による好ましい実施例１の作動を示した概略図である。
【図３】本考案による好ましい実施例１の衣服乾燥を示した概略図である。
【図４】本考案による好ましい実施例２の作動を示した概略図である。
【図５】本考案による好ましい実施例３の作動を示した概略図である。
【図６】本考案による実施例４の作動を示した概略図である。
【図７】本考案による実施例５の作動を示した概略図である。
【図８】本考案による実施例６の作動を示した概略図である。
【図９】本考案による実施例７の作動を示した概略図である。
【図１０】本考案による実施例８の作動を示した概略図である。
【図１１】本考案による実施例９の作動を示した概略図である。
【考案を実施するための形態】
【００１１】
（実施例１）
図１を参照する。図１は、本考案による好ましい実施例１の構造を示した概略図である。図から分かるように、本考案は、主に、少なくとも一つのケース１と、少なくとも一つの第一入風口１１１と、冷熱交換器２１と、蒸発器３１と、放熱器３２と、除湿ローラ２２と、少なくとも一つの発熱装置２３と、少なくとも一つの排気部１３と、少なくとも一つのコントロール装置７と、少なくとも一つのセンサー装置７１とからなる。また、第一入風口１１１はケース１上に位置する。冷熱交換器２１はケース１内に設けられるとともに第一入風口１１１に対応するように位置する。蒸発器３１は、冷熱交換器２１における第一入風口１１１の反対側に設けられ、放熱器３２と除湿ローラ２２は、蒸発器３１における冷熱交換器２１の反対側に設けられる。本実施例においては、除湿ローラ２２が、放熱器３２における蒸発器３１の反対側に設けられた例を解説する。発熱装置２３は、除湿ローラ２２に設けられるとともに、発熱部材と、発熱部材の位置に対応するファンとを備え、排気部１３は、除湿ローラ２２における蒸発器３１の反対側に形成される。本実施例においては、排気部１３を除湿ローラ２２における放熱器３２の反対側に設けた例を解説する。ケース１の外の第一外部気体は、第一入風口１１１から冷熱交換器２１を経由し、その後、蒸発器３１と放熱器３２及び除湿ローラ２２を通って、排気部１３から流出する。なお、第一外部気体は環境空気である。
【００１２】
また、ケース１内は、冷熱交換器２１及び蒸発器３１及び放熱器３２及び除湿ローラ２２及び発熱装置２３を収容する収容空間１２を形成し、且つ、収容空間１２と、第一入風口１１１及び排気部１３は連通し、冷熱交換器２１及び蒸発器３１の側には少なくとも一つの貯水部材４が設けられる。
【００１３】
また、除湿ローラ２２と冷熱交換器２１の間には、少なくとも一つの第一循環ルートセット２４が設けられてそれにより相互に導通し、蒸発器３１と放熱器３２の間には少なくとも一つの第二循環ルートセット３３が設けられてそれにより相互に導通し、第二循環ルートセット３３には、圧縮機３４が設けられるとともに、圧縮機３４と対応して設置された膨張弁３５が設けられる。
【００１４】
また、本実施例において、排気部１３における除湿ローラ２２と逆の側には、少なくとも一つの気体の流動を補助するファン装置６が設けられ、ファン装置６と排気部１３は連通する。
【００１５】
また、ケース１には、第一入風口１１１の側に位置する少なくとも一つのセンサー装置７１と、少なくとも一つのコントロール装置７とが設けられ、且つ、コントロール装置７は、発熱装置２３及び圧縮機３４及びセンサー装置７１及びファン装置６とデータリンクされる。なお、上述の例は、本考案の実施例の一形態にすぎず、実施態様はこれに限定されるものではない。
【００１６】
図１、図２、図３を同時に参照する。図１から図３は、本考案による好ましい実施例１の構造を示した概略図、作動を示した図、衣服乾燥を示した概略図である。図から分かるように、本実施例は、第一外部気体が、第一入風口１１１から流入し、冷熱交換器２１、蒸発器３１、放熱器３２、除湿ローラ２２の順番に通過した後、排気部１３から流出する。また、本考案を使用する際、コントロール装置７がファン装置６を作動させ、第一外部気体がケース１外から第一入風口１１１を通じて収容空間１２内に流入する補助をし、且つ、冷熱交換器２１、蒸発器３１、放熱器３２、除湿ローラ２２の順に通って、排気部１３方向へ移動する補助をする。
【００１７】
また、コントロール装置７が、冷熱交換器２１、除湿ローラ２２、発熱装置２３を作動させる時、冷熱交換器２１は、流入したばかりの第一外部気体と熱交換を行って、第一外部気体の温度を上昇させ、且つ第一外部気体が除湿ローラ２２を通過する時、除湿ローラ２２は第一外部気体内の水分を吸着し、除湿効果を達成する。さらに、発熱装置２３は、除湿ローラ２２に対して加熱を行い、第一外部気体が除湿ローラ２２を通過した後に水分を減少させるとともに温度を上昇させ、除湿の効果を達成することができる。また、除湿ローラ２２内に吸着した水分は、加熱されて熱蒸気になり、さらに発熱装置２３によって第一循環ルートセット２４を通じ冷熱交換器２１内へと送られ、前述した流入したばかりの第一外部気体と熱交換を行ってその温度を上昇させ、同時に、熱蒸気の温度が下がって凝結して水玉ができることで水分を減少させ、その後、除湿ローラ２２内に送られ循環し、凝結した水玉が自然に貯水部材４内に滴り落ちて収集される。
【００１８】
また、コントロール装置７が、蒸発器３１、放熱器３２、圧縮機３４、膨張弁３５を作動させるとき、圧縮機３４は、冷媒を加圧して第二循環ルートセット３３を通じて放熱器３２に送り熱量を発散させる。その後、冷媒は膨張弁３５を通じて蒸発器３１に流入して熱量を吸収し、その後、冷媒は圧縮機３４に戻り循環を繰り返す。
【００１９】
また、冷熱交換器２１を通った第一外部気体は、蒸発器３１と接触して熱交換を行い、第一外部気体の温度を下げて、第一外部気体に含まれた水分を蒸発器３１の表面で凝結させて水玉にする。それにより、自然に貯水部材４内に滴り落ちて収集され、除湿効果が達成される。さらに、蒸発器３１を通じて水分を除去された第一外部気体は、放熱器３２に流入し接触して熱交換を行い、温度が上昇する。同時に、放熱器３２内の冷媒の温度が下がり、その後、第一外部気体は引き続き除湿ローラ２２の方向へ流動する。
【００２０】
このように、本考案は、コントロール装置７によって二段式除湿を達成し除湿の確実に行うことができるだけでなく、冷熱交換器２１によって第一外部気体の温度を上昇させ、環境温度が低すぎることで蒸発器３１に霜が発生して除湿効果に影響することを防ぐことができる。さらに、蒸発器３１を通じて事前に第一外部気体に含まれる一部の水分を除去し、第一外部気体の水分が高すぎることで除湿ローラ２２の除湿効果に影響するのを防ぐことができる。さらには、コントロール装置７が、センサー装置７１を通じて環境の温湿度を収集し、その後、処理演算によって圧縮機３４（蒸発器３１と放熱器３２）、或は、発熱装置２３（冷熱交換器）を作動させるか、或は、作動効率を選択的にコントロールする。即ち、環境温湿度が、例えば、環境温度が低め、或は、環境湿度が高めの場合は、冷熱交換器２１、除湿ローラ２２、発熱装置２３、蒸発器３１、放熱器３２、圧縮機３４、膨張弁３５を作動させて、最も優れた除湿効果を達成する。また、環境温湿度が、例えば、環境温度がかなり低く且つ湿度も比較的低い時は、単独で、冷熱交換器２１及び除湿ローラ２２及び発熱装置２３を作動させる、或は、環境温度がかなり高い時は、単独で、蒸発器３１及び放熱器３２及び圧縮機３４及び膨張弁３５を作動させる。本考案は、低温環境或は高湿度環境を克服し、各種環境で使用することができるとともに、最も優れた除湿効果の目的を達成することができる。
【００２１】
また、第一外部気体が排気部１３から流出する時、蒸発器３１或は除湿ローラ２２によって水分が除去され、且つ放熱器３２或は発熱装置２３によって加熱されるため、第一外部気体は高温低水分状態になり、また、排気部１３はファン装置６と連通しているため、ファン装置６が衣服などの乾燥させる物を収容させたとき、高温低水分状態の第一外部気体が被乾燥物に吹き付けられ乾燥される。また、コントロール装置７によって、ファン装置６が回転し被乾燥物を回すことによって、乾燥効果を高めることができる。
【００２２】
（実施例２）
図４を参照する。図４は、本考案による好ましい実施例２の作動を示した概略図である。図から分かるように、本実施例は前述の実施例と大体同じであり、異なる点は、本実施例においては、ケース１ａに、蒸発器３１ａに連通する少なくとも一つの第二入風口１１２ａが形成され、且つ第二入風口１１２ａは第二外部気体を蒸発器３１ａに流入させ、第二外部気体を環境空気とする、点である。それにより、第一気体は、第一入風口１１１ａと冷熱交換器２１ａを通じて蒸発器３１ａと接触する以外、第二気体は、第二入風口１１２ａを通じて蒸発器３１ａと接触する。その後、蒸発器３１ａに流入した第一外部気体及び第二外部気体は、放熱器３２ａ及び除湿ローラ２２ａへと流れて排気部１３ａから排出される。それにより、蒸発器３１ａが凝結する水分の総量を増やすことができる。
【００２３】
（実施例３）
図５を参照する。図５は、本考案による好ましい実施例３の作動を示した概略図である。図から分かるように、本実施例は前述の実施例と大体同じであり、異なる点は、本実施例においては、ケース１ｂに、第二外部気体が流入するとともに且つ放熱器３２ｂと連通する少なくとも一つの第二入風口１１２ｂを形成する点である。それにより、第一気体は、第一入風口１１１ｂ、冷熱交換器２１ｂ、蒸発器３１ｂを通じて、放熱器３２ｂと接触する以外に、第二気体が第二入風口１１２ｂを通って放熱器３２ｂと接触する。その後、第一外部気体及び第二外部気体は、除湿ローラ２２ｂを通って排気部１３ｂから流出する。第二気体が放熱器３２ｂと接触することにより、放熱効果を増加させることができるとともに、第二気体内の水分はまだ除去されていないため、第二気体により、除湿ローラ２２ｂを通過する気体の総湿度を増加させることができる。
【００２４】
（実施例４）
図６を参照する。図６は、本考案による実施例４の作動を示した概略図である。図から分かるように、本実施例は前述の実施例と大体同じであり、異なる点は、本実施例においては、ケース１ｃに、第二外部気体が流入するとともに除湿ローラ２２ｃと連通する少なくとも一つの第二入風口１１２ｃが形成される点である。それにより、第一気体が、第一入風口１１１ｃ、冷熱交換器２１ｃ、蒸発器３１ｃ、放熱器３２ｃを通って除湿ローラ２２ｃと接触する以外に、第二気体が第二入風口１１２ｃを通って除湿ローラ２２ｃと接触し、第二気体内の水分が除去されていないため、第二気体を通じて通過除湿ローラ２２ｃを通過した気体の総湿度を増加させることができる。
【００２５】
（実施例５）
図７を参照する。図７は、本考案による実施例５の作動を示した概略図である、図から分かるように、本実施例は前述の実施例と大体同じであり、異なる点は、本実施例においては、ケース１ｄに、第二外部気体を流入させる少なくとも一つの第二入風口１１２ｄが形成し、且つ、第二入風口１１２ｄが、蒸発器３１ｄ及び放熱器３２ｄ及び除湿ローラ２２ｄと連通する点である。それにより、前述したように、蒸発器３１ｄが凝結した水分の総量が増加し、放熱器３２ｄの放熱効果を高め、除湿ローラ２２ｄを通過する気体の総湿度を高めることができる。
【００２６】
（実施例６）
図８を参照する。図８は本考案による実施例６の作動を示した概略図である。図から分かるように、本実施例は前述の実施例と大体同じであり、異なる点は、本実施例においては、ケース１ｅに、第二外部気体を流入させるとともに放熱器３２ｅと連通する少なくとも一つの第二入風口１１２ｅが形成され、且つ第一外部気体及び第二外部気体が流れる向きを変えている点である。本実施例においては、第一外部気体は、第一入風口１１１ｅから流入して且つ冷熱交換器２１ｅ及び蒸発器３１ｅを経由し排気部１３ｅから排出される。また、第二外部気体は、第二入風口１１２ｅから流入し、且つ放熱器３２ｅ及び除湿ローラ２２ｅを経由して排気部１３ｅから排出される。以上により、前述したように、冷熱交換器２１ｅを利用して第一外部気体の温度をあげて低温環境を克服し、第二気体によって放熱器３に直接接触することで放熱効果を向上させるとともに、第二気体によって、除湿ローラ２２ｅを通過する気体の湿度を増加させる。
【００２７】
（実施例７）
図９を参照する。図９は、本考案実施例７の作動を示した概略図である。図から分かるように、本実施例は前述の実施例と大体同じであり、異なる点は、本実施例においては、ケース１ｆに、第二外部気体を流入させるとともに放熱器３２ｆ及び除湿ローラ２２ｆと連通する少なくとも一つの第二入風口１１２ｆｇが形成され、第一外部気体及び第二外部気体の流れる向きを変えている、点である。本実施例において第一外部気体は、第一入風口１１１ｆから流入し、且つ冷熱交換器２１ｆ及び蒸発器３１ｆを経由して排気部１３ｆから排出される。第二外部気体は第二入風口１１２ｆから流入するとともに、放熱器３２ｆを通って排気部１３ｆから排出される。また、第二外部気体は、第二入風口１１２ｆから流入し、除湿ローラ２２ｆを通って排気部１３ｆから排出される。放熱器３２ｆで直接加熱された第二外部気体を排気部１３ｆから排出することにより、除湿ローラ２２ｆに流入する第二外部気体の温度が高すぎて除湿ローラ２２ｆの除湿効果に影響するのを防ぐことができる。
【００２８】
（実施例８）
図１０を参照する。図１０は、本考案による実施例８の作動を示した概略図である。図から分かるように、本実施例は前述の実施例と大体同じであり、異なる点は、本実施例においてケース１ｇに、第二外部気体が流入されるとともに除湿ローラ２２ｇと連通する少なくとも一つの第二入風口１１２ｇが形成され、且つ、第一外部気体及び第二外部気体の流れる向きを変えている、点である。本実施例において、第一外部気体は、第一入風口１１１ｇから流入し、冷熱交換器２１ｇ及び蒸発器３１ｇ及び放熱器３２ｇを通過して排気部１３ｇから排出される。また、第二外部気体は、第二入風口１１２ｇから流入するとともに、除湿ローラ２２ｇを経由して排気部１３ｇから排出される。それにより、前述したように、冷熱交換器２１ｇを利用することで、第一外部気体の温度が上昇し、低温環境を克服できるとともに、除湿ローラ２２ｇに流入する第二外部気体の温度が高すぎてその除湿効果に影響をあたえるのを防ぐことができる。
【００２９】
（実施例９）
図１１を参照する。図１１は、本考案による実施例９の作動を示した概略図である、図から分かるように、本実施例は前述の実施例とほぼ同じであり、異なる点は、本実施例においては、ケース１ｈに、第二外部気体を流入させる少なくとも一つの第二入風口１１２ｈと、第二入風口１１２ｈに対応して設置された少なくとも一つの入風弁８ｈが形成されている、点である。さらに、コントロール装置７ｈは、入風弁８ｈとデータリンクされており、選択的に、その開閉や、開きの大きさを制御することができる。また、入風弁８ｈは、冷熱交換器２１ｈと蒸発器３１ｈの間に設置することで、第二外部気体流入と蒸発器３１ｈの接触を制御できる、或は、蒸発器３１ｈと放熱器３２ｈの間に設置することで第二外部気体流入と放熱器３２ｈの接触を制御できる、或は、放熱器３２ｈと除湿ローラ２２ｈの間に設置することで、第二外部気体流入と除湿ローラ２２ｈの接触を制御できる。以上により、蒸発器３１ｈ、或は、放熱器３２ｈ、或は、除湿ローラ２２ｈの気体の総流量、或は、気体総温度、或は、気体総湿度を制御でき、センサー装置７１ｈを併せることにより正確度が増す。図においては、複数の入風弁８ｈを設け、コントロール装置７ｈによって、単一の入風弁８ｈが開くことで第二外部気体を流入させ放熱器３２ｈと接触させる例を解説している。本考案は、ニーズに応じて、第二外部気体の流入及び流入位置を制御し、しいては除湿効果、放熱効果、凝結水分の総量を向上させ、或は、通過する気体総湿度を増加させることができる。
【００３０】
以上により、本考案の除湿装置の統合構造が従来の技術を改善する鍵となるのは以下の点である。
１、コントロール装置７及びセンサー装置７１及び冷熱交換器２１及び蒸発器３１及び放熱器３２及び除湿ローラ２２及び発熱装置２３を合せることにより、本考案は各種環境で使用できる実用進歩性を達成することができる。
２、コントロール装置７及びセンサー装置７１及び冷熱交換器２１及び蒸発器３１及び放熱器３２及び除湿ローラ２２及び発熱装置２３を合せることにより、本考案は除湿効果の実用進歩性を達成することができる。
３、第二入風口１１２ａにより、本考案は、蒸発器が凝固する水分の総量を増やす実用進歩性を達成することができる。
４、第二入風口１１２ｂにより、本考案は、放熱器の放熱効果を高め、除湿ローラを通過する気体総湿度を増やす実用進歩性を達成することができる。
５、第二入風口１１２ｆにより、本考案は、除湿ローラに流入した第二外部気体温度が高すぎてその除湿に影響するのを防ぐ実用進歩性を達成することができる。
６、第二入風口１１２ｈ及びコントロール装置７ｈ及びセンサー装置７１ｈ及び入風弁８ｈを相互に併せることにより、本考案は、ニーズに合わせて、除湿効果、放熱効果、水分凝結の総量を高めたり、通過する気体総湿度を増やしたりすることができる実用進歩性を達成することができる。
【符号の説明】
【００３１】
１、１ａ、１ｂ、１ｃ、１ｄ、１ｅ、１ｆ、１ｇ、１ｈ  ケース
１１１、１１１ａ、１１１ｂ、１１１ｃ、１１１ｅ、１１１ｆ、１１１ｇ  第一入風口
１１２ａ、１１２ｂ、１１２ｃ、１１２ｄ、１１２ｅ、１１２ｆ、１１２ｇ、１１２ｈ  第二入風口
１２  収容空間
１３、１３ａ、１３ｂ、１３ｅ、１３ｆ、１３ｇ  排気部
２１、２１ａ、２１ｂ、２１ｃ、２１ｅ、２１ｆ、２１ｇ、２１ｈ  冷熱交換器
２２、２２ａ、２２ｂ、２２ｃ、２２ｄ、２２ｅ、２２ｆ、２２ｇ、２２ｈ  除湿ローラ
２３  発熱装置
２４  第一循環ルートセット
３１、３１ａ、３１ｂ、３１ｃ、３１ｄ、３１ｅ、３１ｆ、３１ｇ、３１ｈ  蒸発器
３２、３２ａ、３２ｂ、３２ｃ、３２ｄ、３２ｅ、３２ｆ、３２ｇ、３２ｈ  放熱器
３３  第二循環ルートセット
３４  圧縮機
３５  膨張弁
４    貯水部材
６    ファン装置
７、７ｈ  コントロール装置
７１、７１ｈ  センサー装置
８ｈ  入風弁
【図１】
0003208603.tif 000003
【図２】
0003208603.tif 000004
【図３】
0003208603.tif 000005
【図４】
0003208603.tif 000006
【図５】
0003208603.tif 000007
【図６】
0003208603.tif 000008
【図７】
0003208603.tif 000009
【図８】
0003208603.tif 000010
【図９】
0003208603.tif 000011
【図１０】
0003208603.tif 000012
【図１１】
0003208603.tif 000013